(57)【要約】【課題】迷光の発生又は侵入を防止する光量調節装置及び其を備えたカメラを提供する。【解決手段】シャッタ装置２１は、透明なガラス板を基材とし中央に光学的開口部３３を備えこれを避けた面に第１の遮光幕２７を駆動する帯状電極３４が形成された第１の基板２５、第２のスペーサ３１と一対になって第１の基板２５と第２の基板３２間に他部材のための位置決めと間隙形成を行う第１のスペーサ２６、所望のピッチで電気的に永久分極された誘電体の部位を備え仕切り板２８により相互の干渉を回避しながら第１の基板２５と仕切り板２８の間および第２の基板３２と仕切り板２８の間をそれぞれ左右に移動する第１の遮光幕２７と第２の遮光幕２９等で構成される。仕切り板２８は０．１ｍｍ以下の厚さの樹脂シート又は金属シートで構成され、貫通する穿設孔で物理的に形成され光学的開口部３５以外の部分は遮光性部材で覆われ且つ反射防止処理を施されている。【選択図】      図４
2005316326.tif 000002
【特許請求の範囲】
【請求項１】
第１の遮光幕を駆動するための帯状電極および光学的開口部を設けた第１の基板と、
予め所望のピッチで電気的に分極されている前記第１の遮光幕と、
前記第１の基板の前記光学的開口部に対応する光学的開口部を有する仕切り板と、
予め所望のピッチで電気的に分極されている第２の遮光幕と、
該第２の遮光幕を駆動するための帯状電極並びに前記第１の基板および前記仕切り板の前記開口部に対応する光学的開口部を設けた第２の基板と、
の順に、
前記第１の遮光幕が前記第１の基板と前記仕切り板の間および前記第２の遮光幕が前記第２の基板と前記仕切り板の間を移動可能に積層された、
ことを特徴とする光量調節装置。
【請求項２】
前記仕切り板は、前記第１の基板および前記第２の基板よりも薄い、ことを特徴とする請求項１記載の光量調節装置。
【請求項３】
前記仕切り坂は、少なくとも前記第１の遮光幕および前記第２の遮光幕の移動可能範囲に存在している、ことを特徴とする請求項１記載の光量調節装置。
【請求項４】
前記仕切り板は、薄板ガラスである、ことを特徴とする請求項１記載の光量調節装置。
【請求項５】
前記仕切り板は、所定の表面処理が施されている、ことを特徴とする請求項１記載の光量調節装置。
【請求項６】
前記仕切り板は、光学的開口部以外の面が遮光性部材で覆われている、ことを特徴とする請求項４又は５記載の光量調節装置。
【請求項７】
前記仕切り板は、前記光学的開口部が穿設孔で形成されている遮光性の樹脂シート部材である、ことを特徴とする請求１記載の光量調整装置。
【請求項８】
前記樹脂シート部材は、反射防止処理が施されている、ことを特徴とする請求頃７記載の光量調整装置。
【請求項９】
前記仕切り板は、前記光学的開口部が穿設孔で形成されている金属シート部材である、ことを特徴とする請求項１記載の光量調整装置。
【請求項１０】
前記金属シート部材は、反射防止処理が施されている、ことを特徴とする請求項９記載の光量調整装置。
【請求項１１】
請求項１乃至１０のいずれかに記載の光量調整装置を光学系のシャッタ位置又は絞り位置に備えたことを特徴とするカメラ。
【発明の詳細な説明】
【技術分野】
【０００１】
迷光の発生と侵入を防止する光量調節装置に関する。
【背景技術】
【０００２】
従来、位置決め装置等の駆動原として静電アクチュエータが提案されている。このような静電アクチュエータの移動子には、永久分極された誘電体の部位を備えたエレクトレットと呼ばれる構成を備えている。（例えば、特許文献１参照。）
また、カメラのシャッタ機構のような光量調節装置の位置決め装置に誘電電荷型アクチュエータを用いる例も提案されている。そのシャッタ機構としては、１個のステータ（固定子）に対しスライダ（移動子）が１個のものと２個のものがあり、いずれもスライダをシャッタ羽根として機能させている。（例えば、特許文献２参照。）
【特許文献１】特開平０４−１１２６８３号公報（［実施例］、第１図）
【特許文献２】特開平０８−２２０５９２号公報（［要約］、図１、［００１１］、図２）
【発明の開示】
【発明が解決しようとする課題】
【０００３】
ところで、特許文献２の構成は、１個の固定子（基板）の両面に帯状電極を設け、この帯状電極の誘電電荷を移動させることで移動子を移動させているが、帯状電極が設けられた基板は、絶縁性が要求されることからガラス又はエポキシ樹脂等の絶縁性材料で構成される。この場合、変形防止の観点から、基板の厚さとしては、少なくと０．５ｍｍ程度の厚さが必要とされる。
【０００４】
一般に、ガラスやエポキシ樹脂等の厚い絶縁材料に開口を設けた場合、開口の端面部がきれいなエッジとならないから、シャッタ開放時に光線が基板開口部端面の不規則な切り欠き部で反射する。このような不要な光線つまり迷光は、結像面へと進んで結像画像にゴーヅトフレアーといった不具合を発生させる虞が多分にある。したがって、基板とは別に正しい開口を形成する部材が必要になる。
【０００５】
また、基板が０．５ｍｍ程度と厚くなると、基板を挟んで対向する２枚の移動子（シャッタ羽根、又は遮光幕）の端部が基板の開口部で重なって光軸を遮断しているときでも、２枚の移動子間には少なくとも０．５ｍｍ程度の間隙が発生している。このため、光軸と平行な方向の光線は移動子によって遮蔽することはできるが、光軸と平行でない、つまり光軸と角度を持った光線については上記の間隙を透過して迷光となり、この場合も結像画像に不具合を齎す虞が多分にある。
【０００６】
本発明の課題は、上記従来の実情に鑑み、迷光の発生又は侵入を防止する光量調節装置及びそれを備えたカメラを提供することである。
【課題を解決するための手段】
【０００７】
先ず、第１の発明の光量調節装置は、第１の遮光幕を駆動するための帯状電極および光学的開口部を設けた第１の基板と、予め所望のピッチで電気的に分極されている上記第１の遮光幕と、上記第１の基板の上記光学的開口部に対応する光学的開口部を有する仕切り板と、予め所望のピッチで電気的に分極されている第２の遮光幕と、該第２の遮光幕を駆動するための帯状電極並びに上記第１の基板および上記仕切り板の上記開口部に対応する光学的開口部を設けた第２の基板と、の順に、上記第１の遮光幕が上記第１の基板と上記仕切り板の間および上記第２の遮光幕が上記第２の基板と上記仕切り板の間を移動可能に積層されて構成される。
【０００８】
上記仕切り板は、例えば上記第１の基板および上記第２の基板よりも薄く構成され、また、例えば少なくとも上記第１の遮光幕および上記第２の遮光幕の移動可能範囲に存在するように構成され、また、例えば薄板ガラスで構成され、更に、例えば所定の表面処理が施されて構成されている。この場合、上記仕切り板は、例えば光学的開口部以外の面が遮光性部材で覆われていることが好ましい。
【０００９】
また、上記仕切り板は、例えば上記光学的開口部が穿設孔で形成されている遮光性の樹脂シート部材で構成してもよく、この場合、上記樹脂シート部材は、反射防止処理が施されていることが好ましい。
また、上記仕切り板は、例えば上記光学的開口部が穿設孔で形成されている金属シート部材で構成してもよく、この場合も、上記金属シート部材は、反射防止処理が施されていることが好ましい。
【００１０】
次に、第２の発明のカメラは、上述したいずれかの光量調節装置を光学系のシャッタ位置又は絞り位置に備えて構成される。
【発明の効果】
【００１１】
本発明によれば、駆動用の帯状電極を有さず単に光学的開口部と遮光部とを有する仕切り板で第１と第２の遮光幕の間隔を規定するので、第１と第２の遮光幕の間隔をほぼ仕切り板の厚さまで小さくすることができ、これにより、迷光の発生と侵入を防止する光量調節装置及びそれを備えたカメラを提供することが可能となる。
【発明を実施するための最良の形態】
【００１２】
以下、本発明の実施の形態を図面を参照しながら説明する。
【実施例１】
【００１３】
図１(a),(b) は、実施例１のレンズ装置が組み込まれるデジタルカメラの概略構成を示す図であり、同図(a) はデジタルカメラの前面からの外観を示す斜視図、同図(b) はデジタルカメラ内部の主要部の配置状態を示す斜視図である。
同図(a) に示すように、デジタルカメラ１は、前面右上隅に撮影レンズ窓２を備え、その左方にストロボ照射窓３を備えている。また、上面の左端部にはレリーズボタン４が設けられている。
【００１４】
同図(b) に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１５】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１６】
図２は、図１(b) に示すレンズ装置７のＡ−Ａ´矢視断面をデジタルカメラ１の図１(b) の左方から見た図であり、レンズユニット各部の概略の構成を示している。図１(b) に示したレンズ装置７の内部には、この図２に示すように、上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、及び第２の固定鏡枠部１７にレンズが保持された第２の固定レンズ部１８が備えられている。そして、これらのレンズ部の終端に撮像素子１９が配置されている。
【００１７】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１８】
図３は、図２に示したレンズ装置７を図２の矢印Ｂで示すように同図の斜め左上向う側から斜め右下手前方向に見た拡大斜視図であり、図３の上方には、図２のシャッタ位置２０に組み込まれているシャッタ装置２１を単独に取り出した状態で示している。
このシャッタ装置２１は、矩形の平らな板状体をなす装置であり、第２の光軸Ｏ２の透過路となる光学的開口２２と、この光学的開口２２に隣接して対向する位置にシャッタ羽根退避部２３（２３ａ、２３ｂ）を有している。このシャッタ装置２１の光学的開口２２を透過する第２の光軸Ｏ２の終端すなわちレンズ装置７の下端部（図３では斜め右上端部）には、図２にも示した撮像素子１９が配置されている。
【００１９】
図４は、上記シャッタ装置２１の分解斜視図である。同図に示すように、シャッタ装置２１は、図の左から右へ、第１の基板２５、第１のスペーサ２６、第１の遮光幕２７、仕切り板２８、第２の遮光幕２９、第２のスペーサ３１、及び第２の基板３２とで構成される。
【００２０】
第１の基板２５は、透明な部材（例えばガラス板）を基材とし、中央に光学的開口部３３を備え、組み立て後に内側となる面（図では斜め右上側面）には第１の遮光幕２７を駆動するための帯状電極３４が形成されている。
第１のスペーサ２６は、後述するように周囲内側に段差部が形成されており、この段差部により、第２のスペーサ３１に密着したとき第２のスペーサ３１との間に、内側周面溝を形成する。
【００２１】
第１の遮光幕２７は、遮光性を有する部材であり、予め所望のピッチで電気的に永久分極された誘電体の部位を備えて（詳しくは後述するエレクトレットが施されて）構成される。
仕切り板２８は、第１の遮光幕２７と第２の遮光幕２９が互いの動きを阻害しないように仕切るために設けられており、上記第１の基板２５の光学的開口部３３に対応する位置に光学的開口部３５を備えている。また、上記第１の基板２５及び第２の基板３２よりも薄く形成されている。
【００２２】
また、この仕切り板２８は、少なくとも上記第１の遮光幕２７及び第２の遮光幕２９の移動可能範囲、つまり構成のほぼ全面を占めて存在するように構成され、また、素材としては薄板ガラス、樹脂シート部材、薄い金属シート部材等で構成される。
そして、薄板ガラスの場合は例えば光学的開口部以外の面を遮光性部材で覆うような所定の表面処理が施されて構成される。また、樹脂シート部材又は薄い金属シート部材の場合は、光学的開口部３５はシート部材を物理的に貫通する穿設孔で形成され、光学的開口部３５以外の面は全面が反射防止処理を施されて構成される。
【００２３】
続く、第２の遮光幕２９、第２のスペーサ３１、及び第２の基板３２は、上記仕切り板２８の光学的開口部３５の中心に対して対称形に配置されている。そして第２の遮光幕２９の構成は第１の遮光幕２７の構成と同様であり、第２の基板３２の構成は第１の基板２５の構成と同様に光学的開口部３７が形成され、第２の遮光幕２９を駆動するための帯状電極３６が形成されている。また、第２のスペーサ３１の構成は段差が無い点を除けば第１のスペーサ２６の構成と大きさの点で同様である。
【００２４】
これら上記の構成において、組み立て時には、第１の基板２５、第１の遮光幕２７、仕切り板２８、第２の遮光幕２９、そして第２の基板３２の順に、第１のスペーサ２６と第２のスペーサ３１で順次位置決めされながら、第１の遮光幕２７が第１の基板２５と仕切り板２８の間を移動可能で第２の遮光幕２９が第２の基板３２と仕切り板２８の間を移動可能なように、各部材が積層される。
【００２５】
図５(a) は、上記シャッタ装置２１の組み立て上がり後の断面図であり、同図(b) は、その仕切り板２８及び第１のスペーサ２６と第２のスペーサ３１のみを取り出して示す図である。
図５(a) に示すように、第１のスペ−サ２６には、仕切り板２８を位置決めするための段差部２６−１が設けられている。組み立て時には、その段差部２６−１に仕切り板２８を落とし込むことにより第１のスペ−サ２６に対して仕切り板２８を位置決め固定することができる。
【００２６】
また、同図(b) に示すように、第１スペ−サ２６、仕切り板２８、及び第２のスペーサ３１を予め一体的に組み立てておくと、シャッタ装置２１の組み立て性向上に寄与することができる。
尚、上記の図４及び図５に示したシャッタ装置２１では、第１及び第２の２つのスぺ−サによって仕切り板を光軸方向に位置決めして、第１の基板と仕切り板、第２の基板と仕切り板との間に、それぞれ第１の遮光幕及び第２の遮光幕が移動可能な空間を確保するように構成にしているが、シャッタ装置の構成は、これに限るものではない。
【００２７】
図６は、シャッタ装置の他の構成例を示す図である。図６に示すように、１つのスペ−サ２６´によって第１の基板２５と第２の基板３２との間隔を確保し、例えは第１の基板２５にスペーサ２６´を組み付け後、第１の遮光幕２７、仕切り板２８、第２の遮光幕２９を順に落とし込み、最後に第２の基板３２を組み付けるといった構成でも良い。
【００２８】
この場合、第１及び第２の基板の間隔すなわちスペーサの光軸方向の厚さｔspは、第１及び第２の遮光幕の厚さをｔsh、仕切り板の厚さをｔskとすると、ｔsp＞２×ｔsh＋ｔskとなる。
尚、上記の実施例１及び他の構成例では、スペ−サの形状をそれぞれ額縁形状としているが、第１及び第２の基板と仕切り板との間隔を維持できれば額縁形状に限定されるものではない。例えば、コの字形状、ニの字形状等であってもよい。また、組み立て治具等により、スペーサなしで第１及び第２の基板と仕切り板との間隔を維持できれは、スペーサを削除してもよいことは言うまでもない。
【００２９】
ここで、本例におけるシャッタ装置２１における第１の遮光幕２７及び第２の遮光幕２９を駆動するシャッタ機構の駆動原理を説明する。
図７(a),(b) は、本発明のシャッタ装置におけるシャッタ機構の駆動原理を説明する図である。尚、以下の駆動原理の説明では、説明を簡単にするために、基板及び遮光幕がそれぞれ１枚構成の例を用いて説明する。また、第１の基板２５（又は第２の基板３２）に代えて固定子３８と言い、第１の遮光幕２７（又は第２の遮光幕２９）に代えて移動子３９−１と言うことにする。
【００３０】
同図(a),(b) に示すように、本シャッタ機構は、基本的に固定子３８と移動子３９−１とを備え、移動子３９−１は、固定子３８に対して左右方向に移動自在に構成されている。そして、固定子３８には、被写体からの光像を撮像素子（図２、図３の撮像素子１９参照）に導くための光学的開口３８−１が設けられ、更に、帯状電極３９−２（駆動電極）が所定の間隔で並べて形成されている。他方の移動子３９−１は、遮光性を有する部材であり、永久分極された誘電体の部位を備えている。このような移動子３９−１の構成はエレクトレットと呼ばれている。
【００３１】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００３２】
上記のシャッタ機構において、帯状電極３９−２に正負の電圧を周期的に印加すると、帯状電極３９−２と移動子３９−１の上記エレクトレットとの間に吸引力又は反発力が発生し、結果的に移動子３９−１が固定子３８に対して相対移動する。
したがって、移動子３９−１が固定子３８の光学的開口３８−１を開放又は遮蔽するように移動可能にすることによってシャッタ機構を構成することができる。図７(a) はシャッタが開の状態を示し、同図(b) はシャッタが閉の状態を示している。以下、本構成に係るシャッタ機構を「エレクトレットシャッタ」と称することにする。
【００３３】
なお、固定子３８の光学的開口３８−１は、必ずしも貫通孔のような物理的な開口部とする必要はなく、固定子３８を透過部材とし、開口部に相当する位置に帯状電極３９−２が設けられていない透過領域を形成するようにしても良い。
図８は、エレクトレットシャッタとその駆動回路を模式的に示す図である。同図は右にエレクトレットシャッタの断面を模式的に示し、左に駆動回路をブロック図で示している。同図に示すように、固定子３８に並べられたそれぞれの帯状電極３９−２には、駆動（電圧印加）回路４０からの電圧信号線が接続されている。この電圧信号線には４相の電圧信号が印加され、従って、帯状電極３９−２には、４本毎に同一の電圧信号が印加される。図８では、帯状電極３９−２にＡ、Ｂ、Ｃ、Ｄの符号を付してこの電圧信号を区別している。
【００３４】
この固定子３８の帯状電極３９−２の配設面に対向して移動子３９−１が配置されている。移動子３９−１には、固定子３８との対向面に永久分極された上述した誘電体（エレクトレット）４１（４１ａ、４１ｂ、・・・）を複数備えている。
同図の左に示す駆動回路４０では、パルス発生回路４２で矩形波列（駆動パルス信号）が生成され、この駆動パルス信号が昇圧回路４３と位相器４４に供給される。昇圧回路４３では、入力した駆動パルス信号を１００Ｖ程度まで昇圧するとともに、２つの極性を有する電圧信号に分岐して、帯状電極Ａ及びＣに供給する。
【００３５】
他方、位相器４４に入力した駆動パルス信号は、９０°位相が遅れた波形となり、その後、昇圧回路４３に入力されて、上述と同様の２つの極性を有する電圧信号に分岐されて帯状電極Ｂ及びＤに供給される。
図９は、駆動回路４０によって生成されて帯状電極３９−２に印加される電圧信号列を示す図である。帯状電極３９−２の電圧の状態は、期間Ｔにおけるｔ１〜ｔ４の４つの状態変化が時間ｔにおける期間Ｔごとの経過に対応して繰り返される。
【００３６】
図１０は、上記のエレクトレットシャッタの動作を更に説明する図である。同図(a) は図９において各帯状電極３９−２（Ａ，Ｂ，Ｃ，Ｄ）の電圧状態が、図９に示したｔ１の印加電圧の状態に切り替った直後のエレクトレットと帯状電極との対応関係を示している。
【００３７】
エレクトレット４１ａは、帯状電極Ａから反発力を受け、帯状電極Ｂから吸引力を受ける。また、エレクトレット４１ｂは、帯状電極Ｃから反発力を受け、帯状電極Ｄから吸引力を受ける。このため、移動子３９−１は図の右方向に力を受けて、１つの帯状電極ピッチｄだけ移動する。
【００３８】
図１０(b) は、上記に続いて図９に示したｔ２の印加電圧の状態に切り替った直後のエレクトレットと帯状電極との対応関係を示している。エレクトレット４１ａは、帯状電極Ｂから反発力を受け、帯状電極Ｃから吸引力を受ける。また、エレクトレット４１ｂは、帯状電極Ｄから反発力を受け、帯状電極Ａから吸引力を受ける。このため、移動子３９−１は図の右方向に力を受けて、再び１つの帯状電極ピッチｄだけ移動する。
【００３９】
図１０(c) は、上記に続いて図９に示したｔ３の印加電圧の状態に切り替った直後のエレクトレットと帯状電極との対応関係を示し、図１０(d) は、同図(c) に続いて図９に示したｔ４の印加電圧の状態に切り替った直後のエレクトレットと帯状電極との対応関係を示している。図１０(a),(b) で説明した動作と同様に、移動子３９−１は、１つの帯状電極ピッチｄだけ順次移動する。
【００４０】
そして、この動作が繰り返されることにより、移動子３９−１は図の右方向に移動する。なお、移動子３９−１を図の左方向に移動するためには、帯状電極３９−２に印加する電圧の極性を逆に切り替えればよい。
このように、本例の移動子３９−１は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例２】
【００４１】
図１１(a),(b) は、実施例２としてのフォーカルプレーンシャッタ装置が組み込まれる一眼レフデジタルカメラ本体とその交換レンズの正面図である。同図(a) に示す一眼レフデジタルカメラ本体４５は、交換レンズ取り付け部４６から同図(b) に示す交換レンズ４７を取り外してレンズ背後に在る内部構成を示している。
【００４２】
同図(a) に示す内部構成において、焦点面の被写体側近傍に本発明を応用したフォーカルプレーンシャッタ装置４８が組み込まれている。同図ではフォーカルプレーンシャッタ装置４８の中央部分が見えている。尚、同図(a) には、フォーカルプレーンシャッタ装置４８を図示しやすくするために、本来はその手前に配置されているクイックリターンミラーの図示を省略している。この一眼レフデジタルカメラ本体４５は、図の左側に電池室を兼ねた握り部４９があり、その上面部にシャッタボタン５１を備えている。
【００４３】
図１２(a) は、上記本例のフォーカルプレーンシャッタ装置の分解斜視図であり、同図(b) は、同図(a) の矢印Ｃで示す基板の裏面を示す図である。同図に示すように、フォーカルプレーンシャッタ装置４８は、図の左から示す第１の基板５２、第１のスペーサ５３、第１の遮光幕５４、仕切り板５５、第２の遮光幕５６、第２のスペーサ５７、第２の基板５８とで構成される。
【００４４】
第１の基板５２は、透明なガラス板を基材とし、中央に光学的開口部５９が形成され、その光学的開口部５９以外の面（ただし組み立て上がり後に外側となる面）は、全面が遮光部６１となっている。この遮光部６１は、例えば塗装、金属蒸着等で覆われている。
そして、同図(b) に示すように、第１の基板５２の裏面５２−１には、図７乃至図１０で説明した固定子３８と同様に、第１の遮光幕５４を駆動するための帯状電極６２が設けられている。
【００４５】
第２の基板５８も、透明なガラス板を基材とし、その組み立て上がり後に内側となる面５８−１には、中央の光学的開口対応部６３を除いて、図７乃至図１０で説明した固定子３８と同様に、第２の遮光幕５６を駆動するために必要な部分に帯状電極６４が設けられている。
【００４６】
第１のスペーサ５３及び第２のスペーサ５７は、図４に示したシャッタ装置２１よりも長手方向の長さが長いだけで、その他の構成は図４の第１のスペーサ２６及び第２のスペーサ３１とそれぞれ同様であり、第１の遮光幕５４及び第２の遮光幕５６を、それぞれ第１の基板５２と仕切り坂５５の間、及び第２の基板５８と仕切り板５５の間に移動可能に保持するために、第１の基板５２と仕切り板５５、及び第２の基板５８と仕切り板５５との間隔を維持するために設けられている。
【００４７】
また、第１の遮光幕５４及び第２の遮光幕５６は、図７乃至図１０で説明した移動子３９−１と同様に、予め所望のピッチで電気的に分極されている。
仕切り板５５は、板ガラスで形成されており、第１の遮光幕５４と第２の遮光幕５６が互いの動きを阻害しないように仕切るために設けられている。この仕切り板５５を形成している板ガラスは、０．２ｍｍ〜０．３ｍｍ程度の厚さで加工することが可能であり、従来の絶縁性基板の両面に帯状電極を設ける構成に比べて、２枚の遮光幕の間隔を小さくすることができる。
【００４８】
また、仕切り板５５に用いるガラス板は上記のように０．２〜０．３ｍｍと厚さが薄く、ガラス板単体では破損しやすいが、両側に配置された第１及び第２の基板と積層されることにより、光量調節装置として十分な強度を確保することができる。
【実施例３】
【００４９】
図１３は、実施例３としてのフォーカルプレーンシャッタ装置の分解斜視図である。同図に示すフォーカルプレーンシャッタ装置６５において、第１のスペーサ５３、第１の遮光幕５４、第２の遮光幕５６、第２のスペーサ５７、及び第２の基板５８の構成は、図１２の場合と同様である。
【００５０】
本例では、第１の基板６６と仕切り板６７の構成が、図１２の第１の基板５２と仕切り板５５の場合とやや異なる。すなわち、図１２のように第１の基板５２に光学的開口部５９と遮光部６１を設ける代わりに、本例では、第１の基板６６には裏面に帯状電極６２を配設するのみとし、代わって仕切り板６７に、光学的開口部６８と、その光学的開口部６８以外の全面（但しいずれか一方の面）に遮光部６９が設けられる。この場合も、遮光部６９は例えば塗装、金属蒸着等によって形成される。
【実施例４】
【００５１】
図１４は、実施例４としてのフォーカルプレーンシャッタ装置の分解斜視図である。同図に示すフォーカルプレーンシャッタ装置７０において、第１の基板６６、第１のスペーサ５３、第１の遮光幕５４、第２の遮光幕５６、第２のスペーサ５７、及び第２の基板５８の構成は、図１３の場合と同様である。
【００５２】
本例では、仕切り坂７１の構成がやや異なる。すなわち本例の仕切り坂７１は、樹脂シート又は金属シートで構成され、中央の光学的開口部７２は、シート部材を物理的に貫通する穿設孔で形成されている。このように樹脂シート又は金属シートを用いた場合は、仕切り坂７１の板厚を０．１ｍｍ以下に設定することが可能であり、板ガラスに比べて更に第１及び第２の遮光幕の間隔を小さくすることができる。
【００５３】
尚、金属シートを用いた場合は、光反射防止塗装等で表面の光反射を防ぐことにより光学系への悪影響を少なくすることができることは言うまでもない。また、樹脂シートの場合は、遮光幕、絞り羽根等に使用されている市販のシート材（例えば「ソマブラック（登録商標）フイルム、ソマＢ−Ｈ５０ＭＤ、ソマール（株））を使用することにより、反射防止
の効果を得ることができる。
【００５４】
上記のソマＢ−Ｈ５０ＭＤの板厚は、５４±６μｍであり、単体では変形しやすいが、両側に配置された、第１及び第２の基板と積層される場合は、光量調節装置として十分な強度を確保することができる。
【図面の簡単な説明】
【００５５】
【図１】(a),(b) は実施例１のレンズ装置が組み込まれるデジタルカメラの概略構成を示す図である。
【図２】実施例１のレンズ装置のＡ−Ａ´矢視断面をデジタルカメラの左横から見た図である。
【図３】実施例１のレンズ装置を図２の矢印Ｂで示す斜め左上向う側から斜め右下手前方向に見た拡大斜視図と、そのシャッタ位置に組み込まれているシャッタ装置を単独に取り出した状態を共に示す図である。
【図４】実施例１のレンズ装置のシャッタ装置の分解斜視図である。
【図５】(a) は実施例１のシャッタ装置の組み立て上がり後の断面図、(b) はその仕切り板及び第１のスペーサと第２のスペーサのみを取り出して示す図である。
【図６】実施例１のシャッタ装置の他の構成例を示す図である。
【図７】(a),(b) は本発明のシャッタ装置のシャッタ機構の駆動原理を説明する図である。
【図８】本発明のシャッタ装置に係わるエレクトレットシャッタとその駆動回路を模式的に示す図である。
【図９】エレクトレットシャッタの駆動回路によって生成されて帯状電極に印加される電圧信号列を示す図である。
【図１０】エレクトレットシャッタの動作を更に説明する図である。
【図１１】(a),(b) は実施例２としてのフォーカルプレーンシャッタ装置が組み込まれる一眼レフデジタルカメラ本体とその交換レンズの正面図である。
【図１２】(a) は実施例２のフォーカルプレーンシャッタ装置の分解斜視図、(b) は(a) の矢印Ｃで示す基板の裏面を示す図である。
【図１３】実施例３としてのフォーカルプレーンシャッタ装置の分解斜視図である。
【図１４】実施例４としてのフォーカルプレーンシャッタ装置の分解斜視図である。
【符号の説明】
【００５６】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１    シャッタ装置
２２    光学的開口
２３（２３ａ、２３ｂ）  退避部
２５    第１の基板
２６    第１のスペーサ
２６´  スペーサ
２７    第１の遮光幕
２８    仕切り板
２９    第２の遮光幕
３１    第２のスペーサ
３２    第２の基板
３３    光学的開口部
３４    帯状電極（駆動電極）
３５    光学的開口部
３６    帯状電極
３７    光学的開口
３８    固定子
３８−１  光学的開口
３９−１  移動子
３９−２  帯状電極（駆動電極）
４０    駆動（電圧印加）回路
４１（４１ａ、４１ｂ、・・・）  誘電体（エレクトレット）
４２    パルス発生回路
４３    昇圧回路
４４    位相器
４５    一眼レフデジタルカメラ本体
４６    交換レンズ取り付け部
４７    交換レンズ
４８    フォーカルプレーンシャッタ装置
４９    握り部
５１    シャッタボタン
５２    第１の基板
５２−１  裏面
５３    第１のスペーサ
５４    第１の遮光幕
５５    仕切り板
５６    第２の遮光幕
５７    第２のスペーサ
５８    第２の基板
５９    光学的開口部
６１    遮光部
６２    帯状電極（駆動電極）
６３    光学的開口対応部分
６４    帯状電極（駆動電極）
６５    フォーカルプレーンシャッタ装置
６６    第１の基板
６７    仕切り板
６８    光学的開口部
６９    遮光部
７０    フォーカルプレーンシャッタ装置
７１    仕切り坂
７２    光学的開口部
【図１】
2005316326.tif 000003
【図２】
2005316326.tif 000004
【図３】
2005316326.tif 000005
【図４】
2005316326.tif 000006
【図５】
2005316326.tif 000007
【図６】
2005316326.tif 000008
【図７】
2005316326.tif 000009
【図８】
2005316326.tif 000010
【図９】
2005316326.tif 000011
【図１０】
2005316326.tif 000012
【図１１】
2005316326.tif 000013
【図１２】
2005316326.tif 000014
【図１３】
2005316326.tif 000015
【図１４】
2005316326.tif 000016